(57)【要約】【課題】  ドームコンタクトの動作によってレジストが損傷してしまうことを防止し、又、ドームコンタクトと絶縁体との位置ずれが発生することを防止し、それによって、不用意な導通をなくして信頼性を高めることが可能な押釦スイッチを提供すること。【解決手段】  基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、上記ドームコンタクトの外周部に鍔部を設け該鍔部を介して上記絶縁体に当接されていることを特徴とするもの。【選択図】  図１
2008123945.tif 000002
【特許請求の範囲】
【請求項１】
基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、
上記ドームコンタクトの外周部に鍔部が設けられていて該鍔部を介して上記絶縁体に当接されていることを特徴とする押釦スイッチ。
【請求項２】
請求項１記載の押釦スイッチにおいて、
上記鍔部は外周に向かって上向きに形成されていることを特徴とする押釦スイッチ。
【請求項３】
請求項１記載の押釦スイッチにおいて、
上記絶縁体は上記基板上に設置されるレジストであることを特徴とする押釦スイッチ。
【請求項４】
請求項１記載の押釦スイッチにおいて、
上記絶縁体は上記ドームコンタクトに接着される粘着シートであることを特徴とする押釦スイッチ。
【請求項５】
基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、
上記絶縁体は上記ドームコンタクトに接着される粘着シートであることを特徴とする押釦スイッチ。
【発明の詳細な説明】
【技術分野】
【０００１】
本発明は、ドームコンタクトを使用した押釦スイッチに係り、特に、ドームコンタクトの形状を工夫することにより、又は、絶縁体の構成を改良することにより、接点外での不用意な導通をなくすことができるように工夫したものに関する。
【背景技術】
【０００２】
ドームコンタクトを使用した従来の押釦スイッチの構成を図７及び図８を参照して説明する。まず、基板２０１があり、この基板２０１上には銅箔パターン２０３ａ、２０３ｂが設けられている。上記銅箔パターン２０３ａは、図７（ｃ）に示すように、略リング状に設けられていて、その一部を欠いた状態で設けられている。図中その切欠部を符号２１１で示す。一方、上記銅箔パターン２０３ｂは、図７（ｄ）に示すように、銅箔パターン２０３ａの内側に設けられていて、上記銅箔パターン２０３ａの切欠部２１１を介して銅箔パターン２０３ａの外側に引き出されている。
【０００３】
上記基板２０１上にはドームコンタクト２０５が設置されているとともにその上にはカバー２０７が設置されている。上記ドームコンタクト２０５は文字通りドーム形状をなしていて、上記カバー２０７の内側に貼り付いたような状態で設置されている。又、図８に示すように、上記ドームコンタクト２０５の外周部２０５ａは下方に向かって所定角度で折り曲げられていて、その先端面２０５ｂはエッジ状に形成されている。又、上記ドームコンタクト２０７と銅箔パターン２０３ｂとの間であって上記切欠部２１１位置にはレジスト２０９が設置されている。
【０００４】
上記構成によると、非動作時には図７（ａ）に示すような状態にある。これに対して、カバー２０７を介してドームコンタクト２０５を押圧する動作時には図７（ｂ）に示すような状態となる。すなわち、ドームコンタクト２０５の中心部が銅箔パターン２０３ｂに接触することになる。ドームコンタクト２０５の外周部は元々銅箔パターン２０３ａに接触しているので、結局、ドームコンタクト２０５を介して銅箔パターン２０３ａ側と銅箔パターン２０３ｂ側とが電気的に導通することになる。
【０００５】
尚、同種の押釦スイッチの構成を開示するものとして、例えば、特許文献１、特許文献２等がある。
【特許文献１】特開平０６−３４２６１３号公報
【特許文献２】特開２００３−１００１６９号公報
【発明の開示】
【発明が解決しようとする課題】
【０００６】
上記従来の構成によると次のような問題があった。
既に説明したように、動作時には、ドームコンタクト２０５の中心部が押圧されて銅箔パターン２０３ｂに接触することになるが、その際、ドームコンタクト２０５の外周部は外周方向にスライドすることになる。その際、図７（ｄ）及び図８に示すように、ドームコンタクト２０５の外周部２０５ａの先端面２０５ｂはエッジ状になっているために、レジスト２０９の部分を傷付けてしまうことがある。レジスト２０９が損傷してしまうと、ドームコンタクト２０５の外周部が銅箔パターン２０３ｂに対しても接触してしまうことになり、接点外で導通してしまうという問題があった。
又、接点外での導通を発生させる別の要因としては、ドームコンタクト２０５を基板２０１上に設置する場合の位置ずれがあった。すなわち、ドームコンタクト２０５の基板２０１に対する位置がずれてしまうと、ドームコンタクト２０５の外周部がレジスト２０９の位置から外れてしまうことがあり、その場合も、接点外で導通してしまうものである。
【０００７】
本発明はこのような点に基づいてなされたものでその目的とするところは、ドームコンタクトの動作によってレジストが損傷してしまうことを防止し、又、ドームコンタクトと絶縁体との位置ずれが発生することを防止し、それによって、不用意な導通をなくして信頼性を高めることが可能な押釦スイッチを提供することにある。
【課題を解決するための手段】
【０００８】
上記課題を解決するべく本願発明の請求項１による押釦スイッチは、基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、上記ドームコンタクトの外周部には鍔部が設けられていて該鍔部を介して上記絶縁体に当接されていることを特徴とするものである。
又、請求項２による押釦スイッチは、請求項１記載の押釦スイッチにおいて、
上記鍔部は外周に向かって上向きに形成されていることを特徴とするものである。
又、請求項３による押釦スイッチは、請求項１記載の押釦スイッチにおいて、  上記絶縁体は上記基板上に設置されるレジストであることを特徴とするものである。
又、請求項４による押釦スイッチは、請求項１記載の押釦スイッチにおいて、  上記絶縁体は上記ドームコンタクトに接着される粘着シートであることを特徴とするものである。
又、請求項５による押釦スイッチは、基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、上記絶縁体は上記ドームコンタクトに接着される粘着シートであることを特徴とするものである。
【発明の効果】
【０００９】
以上述べたように本願発明の請求項１による押釦スイッチは、基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、上記ドームコンタクトの外周部には鍔部が設けられていて該鍔部を介して上記絶縁体に当接されている構成になっているので、動作時においてドームコンタクトの外周部が外側に向かってスライドする場合においても、絶縁体の部分を損傷させるようなことはなく、よって、絶縁体が損傷してドームコンタクトと接点が接点外で導通してしまうようなことはなくなるものである。
又、請求項２による押釦スイッチは、請求項１記載の押釦スイッチにおいて、
上記鍔部は外周に向かって上向きに形成されているので、上記効果がより確実なものとなる。
又、請求項３による押釦スイッチは、請求項１記載の押釦スイッチにおいて、  上記絶縁体を上記基板上に設置されるレジストとした場合には、動作時においてドームコンタクトの外周部が外側に向かってスライドする場合においても、レジストの部分を損傷させるようなことはなく、よって、レジストが損傷してドームコンタクトと接点が接点外で導通してしまうようなことはなくなるものである。
又、請求項４による押釦スイッチは、請求項１記載の押釦スイッチにおいて、  上記絶縁体を上記ドームコンタクトに接着される粘着シートとした場合には、動作時においてドームコンタクトの外周部が外側に向かってスライドする場合においても、粘着シートの部分を損傷させるようなことはなく、よって、粘着シートが損傷してドームコンタクトと接点が接点外で導通してしまうようなことはなくなるものである。又、ドームコンタクトに粘着シートを貼り付けるようにしているので、ドームコンタクトと粘着シートとの間の位置ずれはなく、よって、粘着シートを貼り付けたドームコンタクトを基板上に設置する場合に若干の位置ずれがあっても、不用意な導通が生じるようなことはない。
又、請求項５による押釦スイッチは、基板と、上記基板上に設けられた複数の接点と、上記基板上に設置された絶縁体と、上記絶縁体上に設置され押圧されることにより上記複数の接点に選択的に接触して所望の導通状態を得るドームコンタクトと、を具備してなる押釦スイッチにおいて、上記絶縁体は上記ドームコンタクトに接着される粘着シートとしているので、ドームコンタクトと粘着シートとの間の位置ずれはなく、よって、粘着シートを貼り付けたドームコンタクトを基板上に設置する場合に若干の位置ずれがあっても、不用意な導通が生じるようなことはない。
【発明を実施するための最良の形態】
【００１０】
以下、図１乃至図３を参照して本発明の第１の実施の形態を説明する。まず、基板１があり、この基板１上には銅箔パターン３ａと、銅箔パターン３ｂが設置されている。上記銅箔パターン３ａは略リング状に設置されていて、その一部が切り欠かれた状態になっている。その切欠部を符号５で示す。又、銅箔パターン３ａの一部３ａ´は外周放射方向に引き出されている。又、上記銅箔パターン３ｂは上記銅箔パターン３ａの内周側に設置されていて、その一部３ｂ´はそこから上記切欠部５を介して上記銅箔パターン３ａの外周側に引き出されている。
【００１１】
上記銅箔パターン３ａ、銅箔パターン３ｂの上には絶縁体としてのレジスト７が設置されている。レジスト７の一部７ａは上記切欠部５の位置において上記銅箔パターン３ｂの引出部３ｂ´上に設置された状態になっている。
【００１２】
上記レジスト7の上にはドームコンタクト１１が設置される。上記ドームコンタクト１１は文字通りドーム形状をなしていて、その外周部には鍔部１３が設けられている。又、上記ドームコンタクト１１の上にはカバー（粘着フィルム）１５が設置されている。上記鍔部１３は、図３（ｃ）に示すように、所定角度で外周方向に向かって上向きに形成されている。
因みに、この実施の形態の場合には上記所定角度は５．００°である。  
【００１３】
以上の構成を基にその作用を説明する。
まず、非動作時には図２（ａ）に示すような状態にある。ドームコンタクト１１の外周部は銅箔パターン３ａに接触した状態にある。一方、ドームコンタクト１１の中心部は何等押圧されていないので上方に膨らんだ状態にあり、銅箔パターン３ｂに対して非接触の状態にある。
【００１４】
次に、動作時であるが、図２（ｂ）に示すように、ドームコンタクト１１の中心部が押圧されて銅箔パターン３ｂに対して接触した状態にある。それによって、銅箔パターン３ａ側と銅箔パターン３ｂ側がドームコンタクト１１を介して電気的に導通することになる。その際、ドームコンタクト１１の外周部は鍔部１３となっているので、図２（ｃ）に示すように、レジスト７ａの上を円滑にスライドすることになり、その際、レジスト７ａを損傷させるようなこともない。
【００１５】
以上本実施の形態によると次のような効果を奏することができる。
すなわち、ドームコンタクト１１の外周部に鍔部１３を設けた構成になっていて従来のようにエッジ状の部分がレジスト７ａに当たった構成ではないので、動作時においてドームコンタクト１１の外周部が外側に向かってスライドする場合においても、レジスト７ａの部分を損傷させるようなことはない。よって、レジスト７ａが損傷してドームコンタクト１１と銅箔パターン３ｂが接点外で導通してしまうようなことはない。
特に、上記鍔部１３は図３（ｃ）に示すように外周方向に向かって上向きに設けられているので、鍔部13の先端面がレジスト７ａに当たることを確実に防止することができ、よって、レジスト７ａを削ってしまうようなことを確実に防止することができる。
【００１６】
次に、図４及び図５を参照して本発明の第２の実施の形態を説明する。この第２の実施の形態の場合には、前記第１の実施の形態の場合におけるレジストの代わりに粘着シート５１を使用するようにしたものである。すなわち、ドームコンタクト１１側に粘着シート５１を貼り付けておき、その状態で基板１上に設置するようにしたものである。上記粘着シート５１の一部５１ａが銅箔パターン３ｂの引出部３ｂ´上に設置されることになり、その上にドームコンタクト１１の鍔部１３が設置されることになる。
その他の構成は前記第１の実施の形態の場合と同様であり、同一部分には同一符号を付して示しその説明は省略する。
【００１７】
したがって、前記第１の実施の形態の場合と同様の効果を奏することができるものである。
又、ドームコンタクト１１側に粘着シート５１を貼り付けるようにしているので、ドームコンタクト１１と粘着シート５１との間の位置ずれはなく、よって、粘着シート５１を貼り付けたドームコンタクト１１を基板１上に設置する場合に若干の位置ずれがあっても、不用意な導通が生じるようなことはない。
【００１８】
次に、図６を参照して本発明の第３の実施の形態を説明する。この第３の実施の形態の場合には、前記第２の実施の形態の場合におけるドームコンタクトを鍔部を備えないドームコンタクト６１として構成した例を示すものである。
その他の構成は前記第２の実施の形態の場合と同様であり、同一部分には同一符号を付して示しその説明は省略する。
【００１９】
よって、この第３の実施の形態の場合には、ドームコンタクト６１に対して粘着シート５１を貼り付けた構成による効果を奏することができる。すなわち、ドームコンタクト６１と粘着シート５１との間の位置ずれはなく、よって、粘着シート５１を貼り付けたドームコンタクト６１を基板１上に設置する場合に若干の位置ずれがあっても、不用意な導通が生じるようなことはない。
【００２０】
尚、本発明は前記第１〜第３の実施の形態に限定されるものではない。
例えば、接点の構成は図示したものに限定されず、様々な接点の構成が考えられる。
その他図示した構成はあくまで一例である。
【産業上の利用可能性】
【００２１】
本発明は、ドームコンタクトを使用した押釦スイッチに係り、特に、ドームコンタクトの形状を工夫することにより、又は、絶縁体の構成を改良することにより、接点外での不用意な導通をなくすことができるように工夫したものに関し、例えば、各種電子機器の入力操作部において使用されるパネルスイッチに好適である。
【図面の簡単な説明】
【００２２】
【図１】本発明の第１の実施の形態を示す図で、押釦スイッチの構成を示す分解斜視図である。
【図２】本発明の第１の実施の形態を示す図で、図２（ａ）は非動作時における押釦スイッチの状態を示す断面図、図２（ｂ）は、動作時における押釦スイッチの状態を示す断面図、図２（ｃ）は図２（ａ）のｃ部を拡大して示す断面図である。
【図３】本発明の第１の実施の形態を示す図で、図３（ａ）はドームコンタクトの平面図、図３（ｂ）は図３（ａ）のｂ−ｂ断面図、図３（ｃ）は図３（ｂ）のｃ部を拡大して示す断面図である。
【図４】本発明の第２の実施の形態を示す図で、押釦スイッチの構成を示す分解斜視図である。
【図５】本発明の第２の実施の形態を示す図で、図４（ａ）は非動作時における押釦スイッチの状態を示す断面図、図４（ｂ）は動作時における押釦スイッチの状態を示す断面図、図４（ｃ）は図４（ａ）のｃ部を拡大して示す断面図である。
【図６】本発明の第３の実施の形態を示す図で、押釦スイッチの構成を示す分解斜視図である。
【図７】従来例を示す図で、図７（ａ）は非動作時における押釦スイッチの状態を示す断面図、図７（ｂ）は動作時における押釦スイッチの状態を示す断面図、図７（ｃ）は銅箔パターンとドームコンタクトとレジストとの関係を示す平面図図、図６（ｄ）は図（ａ）のｄ部を拡大して示す断面図である。
【図８】従来例を示す図で、図８（ａ）はドームコンタクトの平面図、図８（ｂ）は図８（ａ）のｂ−ｂ断面図、図８（ｃ）は図８（ｂ）のｃ部を拡大して示す断面図である。
【符号の説明】
【００２３】
１  基板
３ａ  銅箔パターン
３ｂ  銅箔パターン
５  切欠部
７  レジスト
７ａ  レジストの一部
１１  ドームコンタクト
１３  フランジ部
１５  カバー
５１  粘着シート
【図１】
2008123945.tif 000003
【図２】
2008123945.tif 000004
【図３】
2008123945.tif 000005
【図４】
2008123945.tif 000006
【図５】
2008123945.tif 000007
【図６】
2008123945.tif 000008
【図７】
2008123945.tif 000009
【図８】
2008123945.tif 000010